(57)【要約】【課題】反応容器のサイズに関係なく透過する光の光量が安定した領域での測光を可能とする自動分析装置と液体試料の分析方法を提供すること。【解決手段】光源から出射され、液体試料を保持した反応容器を横切る際に透過し、測光手段が測光した光の光学的特性値をもとに液体試料を分析する自動分析装置と液体試料の分析方法。自動分析装置は、測光手段が測光した測光値の時間変化を取得する測光値取得部１５ａと、測光値の時間微分値を演算する時間微分値演算部１５ｂと、所定閾値をもとに時間領域を特定する時間領域特定部１５ｃと、時間領域に含まれる測光値の演算処理値を演算する処理値演算部１５ｄと、演算処理値をもとに液体試料の光学的特性値を演算する光学的特性値演算部１５ｅと、光学的特性値をもとに成分又は濃度を特定する成分濃度特定部１５ｆとを有する演算部１５を備えている。【選択図】        図４
2009250720.tif 000002
【特許請求の範囲】
【請求項１】
光源から出射され、液体試料を保持した反応容器を横切る際に透過し、測光手段が測光した光の光学的特性値をもとに前記液体試料を分析する自動分析装置であって、
前記測光手段が測光した測光値の時間変化を前記反応容器ごとに取得する測光値取得手段と、
前記時間変化をもとに測光値の時間微分値を経時的に演算する時間微分値演算手段と、
前記時間微分値の所定閾値をもとに時間領域を特定する時間領域特定手段と、
特定された前記時間領域に含まれる前記測光値の演算処理値を演算する処理値演算手段と、
前記演算処理値をもとに前記液体試料の光学的特性値を演算する光学的特性値演算手段と、
前記光学的特性値をもとに前記液体試料の成分又は濃度を特定する成分濃度特定手段と、
を有する演算手段を備えたことを特徴とする自動分析装置。
【請求項２】
前記測光値取得手段は、前記測光手段が測光した光のうち、前記反応容器が保持した液体試料を透過した光の、前記液体試料に入射した光に対する相対測光値の時間変化を取得することを特徴とする請求項１に記載の自動分析装置。
【請求項３】
前記光学的特性値演算手段は、特定した前記時間領域に含まれる前記時間微分値の平均値を前記演算処理値とすることを特徴とする請求項１又は２に記載の自動分析装置。
【請求項４】
光源から出射され、液体試料を保持した反応容器を横切る際に透過し、測光手段が測光した光の光学的特性値をもとに前記液体試料を分析する液体試料の分析方法であって、
前記測光手段が測光した測光値の時間変化を前記反応容器ごとに取得する測光値取得工程と、
前記時間変化をもとに測光値の時間微分値を経時的に演算する時間微分値演算工程と、
前記時間微分値の所定閾値をもとに時間領域を特定する時間領域特定工程と、
特定した前記時間領域に含まれる前記測光値の演算処理値を演算する処理値演算工程と、
前記演算処理値をもとに前記液体試料の光学的特性値を演算する光学的特性値演算工程と、
前記光学的特性値をもとに前記液体試料の成分又は濃度を特定する成分濃度特定工程と、
を含むことを特徴とする液体試料の分析方法。
【請求項５】
前記測光値取得工程は、前記反応容器が保持した液体試料を透過した光の、前記液体試料に入射した光に対する相対測光値の時間変化を取得することを特徴とする請求項４に記載の液体試料の分析方法。
【請求項６】
前記光学的特性値演算工程は、特定した前記時間領域に含まれる前記時間微分値の平均値を前記演算処理値とすることを特徴とする請求項４又は５に記載の液体試料の分析方法。
【発明の詳細な説明】
【技術分野】
【０００１】
本発明は、自動分析装置と液体試料の分析方法に関するものである。
【背景技術】
【０００２】
従来、血液等の生体試料（検体）を分析する自動分析装置は、反応容器に検体と試薬とをそれぞれ分注して反応させ、反応後の液体試料を光学的に測定することによって検体の成分濃度等を分析している（例えば、特許文献１参照）。
【０００３】
【特許文献１】実用新案登録第２５３４６２４号公報
【発明の開示】
【発明が解決しようとする課題】
【０００４】
ところで、特許文献１に開示された自動分析装置は、図１０に示すように、液体試料を透過してくる透過光の変換電圧が基準電圧値（Ｖ0）を越えた時刻（ｔ1）から所定時間後の時刻（ｔ2）〜時刻（ｔ3）までの透過光の光量が安定している測光時間内に透過光をサンプリングしており、サンプリングタイムＴsの前後に時刻（ｔ1）〜時刻（ｔ2）及び時刻（ｔ3）〜時刻（ｔ4）に及ぶマージンタイムＴmが設定されている。このため、反応容器に対する光の相対移動速度が一定である特許文献１の自動分析装置は、図１１に示すように、光束ＢLが横切る方向に沿った反応容器Ｃの幅Ｗが決まってしまうという問題があった。
【０００５】
一方、自動分析装置は、近年、人体への負担軽減や装置の運用コスト低減を目的として、検体および試薬の量の微量化が求められている。この場合、検体および試薬の微量化に伴って反応容器も小型化する必要があるが、特許文献１の自動分析装置は、マージンタイムＴmを確保しつつ透過光の光量が安定しているサンプリングタイムＴsを確保するうえで反応容器の小型化に制約があった。
【０００６】
本発明は、上記に鑑みてなされたものであって、反応容器のサイズに関係なく透過する光の光量が安定した領域での測光を可能とする自動分析装置と液体試料の分析方法を提供することを目的とする。
【課題を解決するための手段】
【０００７】
上述した課題を解決し、目的を達成するために、本発明の自動分析装置は、光源から出射され、液体試料を保持した反応容器を横切る際に透過し、測光手段が測光した光の光学的特性値をもとに前記液体試料を分析する自動分析装置であって、前記測光手段が測光した測光値の時間変化を前記反応容器ごとに取得する測光値取得手段と、前記時間変化をもとに測光値の時間微分値を経時的に演算する時間微分値演算手段と、前記時間微分値の所定閾値をもとに時間領域を特定する時間領域特定手段と、特定された前記時間領域に含まれる前記測光値の演算処理値を演算する処理値演算手段と、前記演算処理値をもとに前記液体試料の光学的特性値を演算する光学的特性値演算手段と、前記光学的特性値をもとに前記液体試料の成分又は濃度を特定する成分濃度特定手段と、を有する演算手段を備えたことを特徴とする。
【０００８】
また、本発明の自動分析装置は、上記の発明において、前記測光値取得手段は、前記測光手段が測光した光のうち、前記反応容器が保持した液体試料を透過した光の、前記液体試料に入射した光に対する相対測光値の時間変化を取得することを特徴とする。
【０００９】
また、本発明の自動分析装置は、上記の発明において、前記光学的特性値演算手段は、特定した前記時間領域に含まれる前記時間微分値の平均値を前記演算処理値とすることを特徴とする。
【００１０】
また、上述した課題を解決し、目的を達成するために、本発明の液体試料の分析方法は、光源から出射され、液体試料を保持した反応容器を横切る際に透過し、測光手段が測光した光の光学的特性値をもとに前記液体試料を分析する液体試料の分析方法であって、前記測光手段が測光した測光値の時間変化を前記反応容器ごとに取得する測光値取得工程と、前記時間変化をもとに測光値の時間微分値を経時的に演算する時間微分値演算工程と、前記時間微分値の所定閾値をもとに時間領域を特定する時間領域特定工程と、特定した前記時間領域に含まれる前記測光値の演算処理値を演算する処理値演算工程と、前記演算処理値をもとに前記液体試料の光学的特性値を演算する光学的特性値演算工程と、前記光学的特性値をもとに前記液体試料の成分又は濃度を特定する成分濃度特定工程と、を含むことを特徴とする。
【００１１】
また、本発明の液体試料の分析方法は、上記の発明において、前記測光値取得工程は、前記反応容器が保持した液体試料を透過した光の、前記液体試料に入射した光に対する相対測光値の時間変化を取得することを特徴とする。
【００１２】
また、本発明の液体試料の分析方法は、上記の発明において、前記光学的特性値演算工程は、特定した前記時間領域に含まれる前記時間微分値の平均値を前記演算処理値とすることを特徴とする。
【発明の効果】
【００１３】
本発明の自動分析装置は、測光手段が測光した測光値の時間変化を反応容器ごとに取得する測光値取得手段と、時間変化をもとに測光値の時間微分値を経時的に演算する時間微分値演算手段と、時間微分値の所定閾値をもとに時間領域を特定する時間領域特定手段と、特定された時間領域に含まれる測光値の演算処理値を演算する処理値演算手段と、演算処理値をもとに液体試料の光学的特性値を演算する光学的特性値演算手段と、光学的特性値をもとに液体試料の成分又は濃度を特定する成分濃度特定手段とを有する演算手段を備え、本発明の液体試料の分析方法は、測光手段が測光した測光値の時間変化を反応容器ごとに取得する測光値取得工程と、時間変化をもとに測光値の時間微分値を経時的に演算する時間微分値演算工程と、時間微分値の所定閾値をもとに時間領域を特定する時間領域特定工程と、特定した時間領域に含まれる測光値の演算処理値を演算する処理値演算工程と、演算処理値をもとに液体試料の光学的特性値を演算する光学的特性値演算工程と、光学的特性値をもとに液体試料の成分又は濃度を特定する成分濃度特定工程とを含んでいる。このため、本発明の自動分析装置と液体試料の分析方法は、反応容器のサイズに関係なく透過する光の光量が安定した領域で測光することができるという効果を奏する。
【発明を実施するための最良の形態】
【００１４】
以下、本発明の自動分析装置と液体試料の分析方法に係る実施の形態について、図面を参照しつつ詳細に説明する。図１は、本発明の自動分析装置の概略構成図である。図２は、図１に示す自動分析装置のキュベットホイール、測光装置、制御部、入力部及び表示部の概略構成図である。図３は、図１に示す自動分析装置で使用する反応容器の斜視図である。
【００１５】
自動分析装置１は、図１に示すように、作業テーブル２上に検体テーブル３、検体分注機構５、キュベットホイール６、測光装置８、洗浄装置９、試薬分注機構１０、試薬テーブル１１及び撹拌装置２０が設けられている。
【００１６】
検体テーブル３は、図１に示すように、駆動手段によって矢印で示す方向に回転され、外周には周方向に沿って等間隔で配置される収納室３ａが複数設けられている。各収納室３ａは、検体を収容した検体容器４が着脱自在に収納される。
【００１７】
検体分注機構５は、キュベットホイール６に保持された複数の反応容器７に検体を分注する手段であり、図１に示すように、検体テーブル３の複数の検体容器４から検体を順次反応容器７に分注する。
【００１８】
キュベットホイール６は、パルスモータＭ（図２参照）によって、図１に矢印で示す時計方向に回転され、外周には反応容器７を個々に保持する複数のホルダ６ａが周方向に沿って等間隔で設けられている。キュベットホイール６は、例えば、一周期で時計方向に（１周−１反応容器）／４分回転する。反応容器７は、四周期で反時計方向にホルダ６ａの１個分移動する。キュベットホイール６の外周近傍には、測光装置８、洗浄装置９及び撹拌装置２０が配置されている。
【００１９】
反応容器７は、測光装置８の光源から出射された分析光に含まれる光の８０％以上を透過する透明素材、例えば、耐熱ガラスを含むガラス，環状オレフィンやポリスチレン等の合成樹脂からなる容量が微量（数ｎＬ〜数十μＬ）なキュベットである。反応容器７は、図３に示すように、側壁７ａ，７ｂと底壁７ｃとによって試薬や検体等を含む液体を保持する液体保持部７ｄが形成され、液体保持部７ｄの上部に開口７ｅを有している。反応容器７は、側壁７ｂをキュベットホイール６の半径方向に向けて、ホルダ６ａに配置される。ここで、反応容器７は、キュベットホイール６の回転に伴って測光装置８の光源８ａから出射された光束ＢLを横切る際に、光束ＢLが透過する測光領域Ａmとして側壁７ｂの下部が利用される。
【００２０】
測光装置８は、図１及び図２に示すように、キュベットホイール６の外周近傍に配置され、分析用の光を出射する光源８ａ、液体を透過した光の強度を波長ごとに測光する測光部８ｂ及び測光部８ｂから出力される光信号をデジタル値に変換するＡＤコンバータ８ｃを有している。光源８ａと測光部８ｂは、キュベットホイール６のホルダ６ａを挟んで半径方向に対向する位置に配置されている。測光部８ｂは、例えば、凹面回折格子等の回折格子と回折格子によって分光された光を測定項目によって決まるスペクトル毎に測定し、その光量に関する光信号を出力する受光素子アレイ、ＣＣＤセンサ、ＣＭＯＳセンサ等の受光センサとを有している。
【００２１】
洗浄装置９は、反応容器７から液体や洗浄液を排出する排出手段と、洗浄液の分注手段とを有している。洗浄装置９は、測光終了後の反応容器７から測光後の液体を排出した後、洗浄液を分注する。洗浄装置９は、洗浄液の分注と排出の動作を複数回繰り返すことにより、反応容器７の内部を洗浄する。このようにして洗浄された反応容器７は、再度、新たな検体の分析に使用される。
【００２２】
試薬分注機構１０は、キュベットホイール６に保持された複数の反応容器７に試薬を分注する手段であり、図１に示すように、試薬テーブル１１の所定の試薬容器１２から試薬を順次反応容器７に分注する。
【００２３】
試薬テーブル１１は、検体テーブル３及びキュベットホイール６とは異なる駆動手段によって図１に矢印で示す方向に回転され、扇形に成形された収納室１１ａが周方向に沿って複数設けられている。各収納室１１ａは、試薬容器１２が着脱自在に収納される。複数の試薬容器１２は、それぞれ検査項目に応じた所定の試薬が満たされ、外面には収容した試薬に関する情報を表示するバーコードラベル等の情報記録媒体（図示せず）が貼付されている。
【００２４】
ここで、試薬テーブル１１の外周には、図１に示すように、試薬容器１２に貼付した前記情報記録媒体に記録された試薬の種類，ロット及び有効期限等の情報を読み取り、制御部１４へ出力する読取装置１３が設置されている。
【００２５】
制御部１４は、検体テーブル３、検体分注機構５、反応ホイール６、測光装置８、洗浄装置９、試薬分注機構１０、試薬テーブル１１、読取装置１３、入力部１８、表示部１９及び撹拌装置２０等と接続されてこれらの作動を制御するものであり、例えば、マイクロコンピュータ等が使用される。制御部１４は、図２に示すように、演算部１５、記憶部１６及び駆動制御部１７を備えている。
【００２６】
演算部１５は、制御部１４を介して測光装置８の測光部８ｂが測光した光量に基づく反応容器７内の液体試料の吸光度から検体の成分濃度等を分析し、分析結果を制御部１４に出力する。演算部１５は、図４に示すように、測光値取得部１５ａ、時間微分値演算部１５ｂ、時間領域特定部１５ｃ、処理値演算部１５ｄ、光学的特性値演算部１５ｅ及び成分濃度特定部１５ｆを有している。
【００２７】
測光値取得部１５ａは、測光部８ｂが測光した光のうち、反応容器７が保持した液体試料を透過した光の、液体試料に入射した光に対する比であって、最大値を１とする相対測光値の時間変化を取得する（図５参照）。時間微分値演算部１５ｂは、測光値取得部１５ａが取得した相対測光値の時間変化（図５参照）をもとに相対測光値の時間微分値を経時的に演算する（図７参照）。
【００２８】
時間領域特定部１５ｃは、時間微分値演算部１５ｂが演算した時間微分値の所定閾値をもとに時間領域を特定する。処理値演算部１５ｄは、時間領域特定部１５ｃによって特定された時間領域に含まれる相対測光値の演算処理値を演算する。演算処理値としては、例えば、特定された前記時間領域に含まれる相対測光値の平均値を使用するが、前記時間領域の中央における相対測光値、相対測光値の中央値等であってもよい。
【００２９】
光学的特性値演算部１５ｅは、前記演算処理値をもとに反応容器７が保持した前記液体試料の光学的特性値である吸光度を演算する。成分濃度特定部１５ｆは、光学的特性値演算部１５ｅが演算した吸光度と記憶部１６が記憶している検量線をもとに、液体試料の成分又は濃度を特定する。
【００３０】
記憶部１６は、測光部８ｂが測光した光量（光信号）や相対測光値の時間変化等に関する測光データ、演算部１５が演算した時間微分値や平均値、予め設定した時間微分値の閾値、液体試料の成分濃度と吸光度に関する検量線等を記憶している。
【００３１】
駆動制御部１７は、自動分析装置１の各部の作動を制御すると共に、前記情報記録媒体の記録から読み取った情報に基づき、試薬のロットが異なる場合や有効期限外等の場合に分析作業を停止するように自動分析装置１を制御し、或いは所定内容の表示を表示部１９に表すことによりオペレータに警告を発する機能を備えている。
【００３２】
入力部１８は、制御部１４へ検査項目等を入力する操作を行う部分であり、例えば、キーボードやマウス等が使用される。表示部１９は、分析内容，分析結果或いは警報等を表示するもので、ディスプレイパネル等が使用される。
【００３３】
撹拌装置２０は、反応容器７に保持された液体を攪拌する装置であり、攪拌棒によって直接液体を攪拌するものや音波によって非接触で液体を攪拌するものがある。
【００３４】
以上のように構成される自動分析装置１は、回転するキュベットホイール６によって周方向に沿って搬送されてくる複数の反応容器７に試薬分注機構１０が試薬容器１２から試薬を順次分注する。試薬が分注された反応容器７は、キュベットホイール６によって周方向に沿って搬送され、検体分注機構５によって検体テーブル３に保持された複数の検体容器４から検体が順次分注される。
【００３５】
そして、検体が分注された反応容器７は、キュベットホイール６によって撹拌装置２０へ搬送され、分注された試薬と検体が順次攪拌されて反応する。このようにして検体と試薬が反応した反応液を保持した反応容器７は、キュベットホイール６が再び回転したときに測光装置８を通過し、光源から出射された分析光の光束ＢL（図３参照）が透過する。このとき、反応液を透過した光束ＢLは、測光部８ｂで測光され、所定範囲に含まれる時間微分値を平均した平均値を使用して演算部１５が演算した吸光度をもとに成分濃度等が分析される。そして、分析が終了した反応容器７は、洗浄装置９によって洗浄された後、再度検体の分析に使用される。自動分析装置１は、このような一連の分析動作を制御部１４の制御の下に自動で実行する。
【００３６】
この一連の分析動作に伴う測光に際し、測光値取得部１５ａは、測光部８ｂが測光した光のうち、反応容器７が保持した液体試料を透過した光の、液体試料に入射した光に対する比であって、最大値を１とする相対測光値の時間変化を取得し、記憶部１６に記憶する。このとき、図５に示す時間変化図において相対測光値が０．９９０以上となる領域を縦軸方向に拡大した図を図６に示す。図６に示す縦拡大時間変化図おいて、１１ｍ・ｓｅｃ−１〜１８ｍ・ｓｅｃ−１の範囲においては相対測光値が安定し、その両側の領域においては相対測光値が大きく変化している。従って、本発明は、この測光値が安定した領域において反応容器７に保持された反応液を透過した光束ＢLを測定するものである。
【００３７】
このとき、図６に示す縦拡大時間変化図おいて、接線の傾きは、１１ｍ・ｓｅｃ−１〜１８ｍ・ｓｅｃ−１の範囲では平坦に近く、その両側の領域において大きく変化することが読み取れる。そして、図６において、１１ｍ・ｓｅｃ−１における接線Ｌ1の傾き、即ち、時間微分値は１／ｓｅｃであり、１８ｍ・ｓｅｃ−１における接線Ｌ2の傾き、即ち、時間微分値は−１／ｓｅｃであった。そこで、図６に示す縦拡大時間変化図をもとに時間微分値演算部１５ｂによって接線の傾きである相対測光値の時間微分値を経時的に演算すると図７に示すようになる。
【００３８】
従って、図７において、時間微分値−１／ｓｅｃ〜１／ｓｅｃを閾値として時間領域特定部１５ｃによって時間Ｔ1〜Ｔ2間の時間領域ＡTを特定する。そして、処理値演算部１５ｄによって、図８に示す時間領域ＡT内の複数の相対測光値の平均値Ｍを演算する。演算した平均値Ｍをもとに光学的特性値演算部１５ｅによって吸光度を演算し、この吸光度をもとに予め求めておいた検量線をもとに成分濃度特定部１５ｆによって反応容器７内の液体試料の成分又は濃度等を決定する。
【００３９】
このとき、閾値とする時間微分値は、測光装置８において使用する測光部８ｂ、使用する波長、測光精度等の測光条件、測定（検査）項目等に基づいて自動分析装置１ごとに決めて、記憶部１６に記憶させておく。但し、閾値を大きくし過ぎると、図７からも明らかなように、測光値が安定した領域から外れてしまうという不具合がある。一方、閾値を小さくし過ぎると、測光値が安定した領域内における測光値の微妙な変化を捉えてしまうことになる。このため、閾値とする時間微分値は、図７に示すように、測光値が安定した領域を上下から挟む可能な限り小さな値に設定することが望ましい。
【００４０】
従って、本発明の液体試料の分析方法は、駆動制御部１７による自動分析装置１の分析動作の制御のもとに、図９に示すフローチャートに従って演算部１５が反応容器７ごとに実行する。
【００４１】
先ず、演算部１５は、測光装置８から入力される光信号から相対測光値の時間変化を取得する（ステップＳ１００）。次に、演算部１５は、ステップＳ１００で取得した相対測光値の時間変化をもとに時間微分値を演算する（ステップＳ１０２）。このとき、演算部１５は、前述のように相対測光値が０．９９０以上となる領域を縦軸方向に拡大した縦拡大時間変化図をもとに時間微分値を演算しても良い。但し、ノイズ誤差の混入を避ける点からは、ステップＳ１０２に説明したように縦拡大時間変化図を使用せずに直接演算した方が高い精度が得られる。
【００４２】
次いで、予め設定してある時間微分値の閾値をもとに、演算部１５は、時間領域を特定する（ステップＳ１０４）。その後、演算部１５は、特定した時間領域内における相対測光値の演算処理値（平均値）を演算する（ステップＳ１０６）。
【００４３】
次に、演算部１５は、この演算処理値（平均値）を用いて吸光度を演算する(ステップＳ１０８)。次いで、演算部１５は、演算した吸光度と記憶部１６が記憶している検量線をもとに、液体試料の成分又は濃度を特定する（ステップＳ１１０）。
【００４４】
その後、演算部１５は、総ての反応容器７の測光が終了したか否かを判定する（ステップＳ１１２）。この判定は、入力部１８をから入力された分析情報をもとに実行する。判定の結果、総ての反応容器７の測光が終了していない場合（ステップＳ１１２，Ｎｏ）、演算部１５は、ステップＳ１００へ戻って引き続くステップを繰り返す。一方、総ての反応容器７の測光が終了している場合（ステップＳ１１２，Ｙｅｓ）、演算部１５は、液体試料の分析に係る演算を終了する。
【００４５】
このように、本発明の自動分析装置と液体試料の分析方法は、測光値の時間変化から演算した時間微分値をもとに測光値が安定した領域を見出し、その安定した領域内の光学的特性値を用いて液体試料を分析している。このため、本発明の自動分析装置と液体試料の分析方法は、反応容器７を透過した光の光量が安定した領域で測光をすることができる。特に、本発明の自動分析装置と分析方法は、反応容器のサイズに関係なく共通のプログラムによって実行することができるという利点を有している。
【００４６】
また、演算部１５は、測光装置８から入力される光信号から相対測光値の時間変化を取得し、相対測光値の時間変化をもとに時間微分値を演算した。しかし、演算部１５は、測光装置８から入力される光信号（絶対値）の時間変化から時間微分値を演算してもよい。
【図面の簡単な説明】
【００４７】
【図１】本発明の自動分析装置の概略構成図である。
【図２】図１に示す自動分析装置のキュベットホイール、測光装置、制御部、入力部及び表示部の概略構成図である。
【図３】図１に示す自動分析装置で使用する反応容器の斜視図である。
【図４】図１に示す自動分析装置が備える演算部の構成を示すブロック図である。
【図５】反応容器を透過した相対測光値の時間変化図である。
【図６】図５に示す時間変化図において相対測光値が０．９９０以上となる領域を縦軸方向に拡大した縦拡大時間変化図である。
【図７】図６に示す縦拡大時間変化図をもとに演算した時間微分値と、時間微分値の閾値によって特定される時間領域を示す時間変化図である。
【図８】特定された時間領域内における相対測光値の平均値を示す図である。
【図９】本発明の液体試料の分析方法を説明するフローチャートである。
【図１０】従来の自動分析装置における透過光のサンプリングタイムとマージンタイムを説明する説明図である。
【図１１】従来の自動分析装置において、光束が横切る方向に沿った反応容器の幅を説明する反応容器の断面図である。
【符号の説明】
【００４８】
１                自動分析装置
２                作業テーブル
３                検体テーブル
４                検体容器
５                検体分注機構
６                キュベットホイール
７                反応容器
８                測光装置
８ａ              光源
８ｂ              測光部
８ｃ              ＡＤコンバータ
９                洗浄装置
１０              試薬分注機構
１１              試薬テーブル
１２              試薬容器
１３              読取装置
１４              制御部
１５              演算部
１５ａ            測光値取得部
１５ｂ            時間微分値演算部
１５ｃ            時間領域特定部
１５ｄ            処理値演算部
１５ｅ            光学的特性値演算部
１５ｆ            成分濃度特定部
１６              記憶部
１７              駆動制御部
１８              入力部
１９              表示部
２０              撹拌装置
Ａm              測光領域
ＢL              光束
Ｍ                パルスモータ
【図１】
2009250720.tif 000003
【図２】
2009250720.tif 000004
【図３】
2009250720.tif 000005
【図４】
2009250720.tif 000006
【図５】
2009250720.tif 000007
【図６】
2009250720.tif 000008
【図７】
2009250720.tif 000009
【図８】
2009250720.tif 000010
【図９】
2009250720.tif 000011
【図１０】
2009250720.tif 000012
【図１１】
2009250720.tif 000013